(57)【特許請求の範囲】
【請求項１】
人の顔面部分の側面視において、額の上部から口を経て顎先に至る顔面中央ラインの形状に沿うように凹凸線状に接合されたシート材を備え、
前記シート材は、面方向に向けて伸縮する素材によって構成され、
前記シート材の鼻下から口を経て顎先に至る顔面中央ラインの寸法は、利用者の顔面部分の側面視における鼻下から口を経て顎先に至る顔面中央ラインの寸法よりも小さくなるように形成されていることを特徴とする立体フェイスマスク。
【請求項２】
請求項１記載の立体フェイスマスクであって、
前記立体フェイスマスクの利用者が日常生活における軽度な行動をしても顔面とのずれを防止することができることを特徴とする立体フェイスマスク。
【発明の詳細な説明】
【技術分野】
【０００１】
この発明は、化粧水を含浸させて用いることができるフェイスマスクや美容液を含浸された美容シートが肌の接触面に添付されているフェイスマスク等に関するものである。
【背景技術】
【０００２】
従来、上述のフェイスマスクとしては、図３に示すように、平面状のものが用いられていた。
このような平面状のフェイスマスク９０は、縁部９１において、内方に向けて線状の切り込み９２が形成されるとともに、目及び口に対応する開口９３、９４が形成され、鼻の頭頂部に対応する切り込み９５が形成されている。そして、この縁部９１の切り込み９２を顔の外周の輪郭に沿って、折り込むことにより装着している。
【０００３】
しかしながら、立体である顔面の凹凸に平面状のシート材を沿わすことができても、全面的に密着させることが困難であるため、フェイスマスク９０は、部分的に顔から浮いたり、適正な場所からずれたり、更に少しの顔面の動きによって剥離してしまうという問題があった。
特に、切り込み９１を折り込むことにより装着させている顎のラインやこめかみの部分等を含む顔の外周に密着し難いため、顎のラインやこめかみに出ることが多いニキビや吹き出物を、効率的に手入れすることができないという問題があった。
【０００４】
これに加えて、顔の色艶や張り等に影響を与える頸動脈やリンパ管等の代謝機能が集中する顎裏や首部の手入れができないため、効果的に顔の手入れができないといった欠点がある。
【０００５】
これに対して、顔面と同時に顎裏や首部をケアすることができるフェイスマスクとして、特許文献１に示すように、顔面に対応する平面状の顔面シート材が顎裏にも対応するように延長して設けられ、かつこの顔面シートの延長部と一体的に首部に対応した形状を有する平面状の首シート材が設けられたものが提案されている。
【０００６】
このフェイスマスクを用いた場合には、顔面シートを顎のラインに沿って折り曲げるとともに、首シート材を顔面との境界において首に沿わせるように折り曲げることによって、顔面と同時に一部顎裏や首部をケアすることができる。
しかしながら、このフェイスマスクは、図３に示すフェイスマスクと同様、平面状のシート材からなるため、全面的に密着させることが困難であり、顔から浮いてしまう等の問題があり、こめかみ部分の手入れが効率的にできないといった問題があった。
【０００７】
また、顔面シートは、一部顎裏を手入れすることができるものの、顔面部と顎裏部とに対応するように平面状に設けられているため、顎裏に沿わせることができても、顎裏全体に密着させることが困難であり、顎のラインからも離間し易く、効率的に顎のラインの手入れをすることができないという欠点があった。
【０００８】
【特許文献１】特開２００４−２０９１４３号公報
【発明の開示】
【発明が解決しようとする課題】
【０００９】
本発明は、上述の事情に鑑みなされたもので、顎のラインに密着することができ、顎のラインの手入れを効率的にすることができる立体フェイスマスクを提供することを課題とする。さらには、顔面と同時に顎裏全体や首部の手入れをすることにより、効果的に顔の手入れができる立体フェイスマスクを提供することを課題とする。
【課題を解決するための手段】
【００１０】
すなわち、請求項１に記載の発明に係る立体フェイスマスクは、重畳されたシート材を、人の顔面部分の側面視において、少なくとも鼻下から口を経て顎先まで至る形状に沿うように凹凸線状に接合させるとともに、顎のラインを覆うように幅広に形成したことを特徴としている。
ここで、顎のラインを覆うように幅広に形成したとは、少なくとも顎先から口の端部の延長線上までを覆うように形成され、好ましくは顎先から耳元近傍の顎の端までを覆うように形成されていることを意味するものである。
【００１１】
請求項２に記載の発明は、請求項１に記載の立体フェイスマスクにおいて、上記シート材を、人の顔面部分の側面視において、上記鼻下から首部にまで至る形状に沿うように凹凸線状に接合させたことを特徴としている。
【００１２】
請求項３に記載の発明は、請求項１又は２に記載の立体フェイスマスクにおいて、上記シート材を、人の顔面部分の側面視において、額の上部から上記鼻下を経て顎先まで至る形状に沿うように凹凸線状に接合させるとともに、こめかみを覆うように幅広に形成したことを特徴としている。
【００１３】
請求項４に記載の発明は、請求項１ないし３のいずれか一項に記載の立体フェイスマスクにおいて、上記シート材は、左顔面に対応する形状の左シート材及び右顔面に対応する形状の右シート材の２枚のシート材が上記重畳されていることを特徴としている。
【００１４】
請求項５に記載の発明は、請求項３又は４に記載の立体フェイスマスクにおいて、上記シート材が上記顔面上部の鼻孔に対応する切り込みが入れられていることを特徴としている。
【００１５】
請求項６に記載の発明は、請求項1ないし５のいずれか一項に記載の立体フェイスマスクにおいて、上記シート材は、人の顔面部分の動きに応じて伸縮する素材によって構成されるとともに、上記顎のラインに連続して当該シート材の外周部と一体的に着用ベルトが設けられていることを特徴としている。
【発明の効果】
【００１６】
請求項１に記載の発明によれば、重畳されたシート材を、人の顔面部分の側面視において、少なくも鼻下から口を経て顎先まで至る形状に沿うように凹凸線状に接合させるとともに、顎のラインに沿うように幅広に形成したため、立体フェイスマスクを装着することによって、鼻下から顎先までに密着させることができるとともに、顎のラインに密着させることができる。このため、ニキビや吹き出物等が出やすい顎のラインの手入れを効率的にすることができる。
【００１７】
また、縫製、接着や圧着等によって接合することにより、特別な成型用型を必要せずに立体的形状が製造することができ、簡易に製造することができる。
【００１８】
請求項２に記載の発明によれば、シート材を鼻下から首部にまで至る形状に沿うように凹凸線状に接合させたため、顔の色艶や張り等に影響を与える頸動脈やリンパ管等の代謝機能が集中する顎裏や首部の手入れをすることができ、効果的に顔の手入れができる。
【００１９】
また、フェイスマスクを顎のラインに固定することによって、安定的に装着することができるため、密着性を高めて鼻下から首部までを手入れすることができるとともに、一段と効率的に顎のラインの手入れができる。
【００２０】
請求項３に記載の発明によれば、シート材を額の上部から鼻下を経て顎先まで至る形状に沿うように凹凸線状に接合させるとともに、こめかみを覆うように幅広に形成したため、立体フェイスマスクを装着することによって、額の上部から顎先までに密着させることができるとともに、こめかみにも密着させることができる。このため、ニキビや吹き出物等が出やすいこめかみの手入れを効率的にすることができる。また、シート材を鼻頭の隆起を利用して固定することによって、安定的に装着することができるため、密着性を高めて顎の上部から顎先までを手入れすることができる。
【００２１】
特に、シート材を額の上部から顎先を経て首部に至る形状に沿うように凹凸線状に接合させた場合には、装着することによって鼻及び顎に固定され、顔面とのずれを防止することできるため、利用者が装着したまま日常生活における軽度な行動をすることができ、行動の自由度を高めることができる。
【００２２】
請求項４に記載の発明によれば、左顔面に対応する形状の左シート材及び右顔面に対応する形状の右シート材の２枚のシート材を上記重畳させたため、人の顔面に対応しない不要なシート材が接合部からはみ出して形成されること防止できる。
このため、収容する際に必要以上のスペースを必要とすることを防止できる。また、シート材を不織布によって構成し、化粧水を含浸させてパックとして用いる場合に、必要以上の化粧水が吸収されることを防止できる。
【００２３】
請求項５に記載の発明によれば、鼻孔に対応する切り込みを入れたため、鼻の穴から呼吸することができるとともに、立体フェイスマスクを、鼻の付け根から鼻先に向けて毛穴が開き易い小鼻に一層密着させることができ、効率的に小鼻の手入れをすることができる。
【００２４】
請求項６に記載の発明によれば、シート材を人の顔面部分の動きに応じて伸縮する素材によって構成したため、立体フェイスマスクを装着し、着用ベルトを締めることによって、シート材を顎のラインに密着させることができる。特に、シート材を少なくとも鼻下から首部にまで至る形状に沿うように凹凸線状に接合させている場合には、シート材を全面的に顎裏及び首部に密着させることができ、著しく効果的に顔の手入れができる。
また、着用ベルトによって、立体フェイスマスクを鼻等のその他の凹凸にも沿わせて密着固定させることができるため、顔全体の手入れを効率的にすることができる。
【発明を実施するための最良の形態】
【００２５】
以下、本発明に係る立体フェイスマスクについて、図１及び図２を用いて説明する。
本実施形態におけるフェイスマスクは、左顔面に対応する形状の左シート材２０と、右顔面に対応する形状の右シート材３０とによって構成されている。
【００２６】
この左シート材２０及び右シート材３０は、それぞれ顔面の幅方向中央部に対応する顔面中央ライン２０ａ、３０ａが人の側面視において、額、鼻、口、顎先、首等の各部位の顔面の凹凸寸法を基に、額の上部から鼻、口、顎先、顎裏を経て首までに至る形状に沿うように凹凸線状に裁断されている。なお、この顔面中央ライン２０ａ、３０ａの凹凸は、個人差を吸収するために顔面の凹凸寸法より一回り小さく形成されている。
【００２７】
また、左シート材２０及び右シート材３０は、それぞれ額、目、鼻、頬、口、顎、首等の各部位の顔面幅方向の寸法を基に、額の上部からこめかみ、耳元を経て顎のラインに至る顔面外周ラインを覆うように幅広に形成されている。なお、顔面中央ライン２０ａ、３０ａに後述の縫い代を確保するため、また個人差を吸収するため、顔面の幅方向寸法よりも一回り大きく形成されている。
【００２８】
そして、左シート材２０と右シート材３０とは、左右対称に形成され、互いに顔面中央ライン２０ａ、３０ａを合わせて重畳されており、縁部の顔面中央ライン２０ａ、３０ａから縫い代を５ｍｍ設けて、同ライン２０ａ、３０ａに沿って凹凸線状に形成された縫い目１０によって接合されている。
【００２９】
これらの左シート材２０及び右シート材３０は、面方向及び厚み方向に向けて伸縮する素材によって構成されてなる平面状のシート材からなり、塩化ビニル、ポリウレタン、ポリエステル、ポリエチレン等の化学繊維、綿、毛等の自然繊維、シリコン等の樹脂やゴム等によって構成されている編地、織り地、不織布、フィルム又は樹脂成型体からなる各種シート材を用いることができる。さらに、複数の素材やシート材を併用して用いることもでき、例えば、ポリウレタンと綿とが混合されてなる織り地によって構成されていてもよいものである。
また、顔面から発汗される汗を吸収することにより発熱する機能を備えた吸湿発熱素材や電子レンジなどによって与えられた熱を蓄熱する蓄熱素材などの温熱効果によって代謝機能を促進させることが可能となる特殊素材を用いてもよい。
【００３０】
これに加えて、上記シート材に遠赤外線を発するトルマリン、ベントナイト、珪素などの鉱石、銀、ニッケルなどの金属イオンをゼオライトなどの固体粒子に担持させたものやセラミックス等を１種あるいは２種以上を混合して織り込ませることも可能である。その場合、これらの鉱石、金属イオンを固体粒子に担持させたものやセラミックス等は、各種シート材に合わせて、１〜３μｍの微粉末状にして織り込ませることが望ましい。
【００３１】
また、顔面の一部との接触面に、例えば鼻の接触面に、温湿布若しくは冷湿布又は美容液、化粧水やクリーム等の美容溶剤が含浸されているゲル等が貼付されていてもよい。
【００３２】
以上のように、左シート材２０及び右シート材３０を構成する素材、シート材、シート材に織り込ませる鉱石等や湿布材等を組み合わせることによって、立体フェイスマスクにあらゆる機能をもたせることが可能である。例えば、不織布によって構成されている安価な製品の場合には、使い捨て用に適しており、自然繊維の織り地にトルマリン鉱石が織り込まれている高価な製品の場合には、繰り返し利用することも可能である。特に、後者の場合には、専用の美容液等を含浸させ、顔にパックした後に、手洗いして繰り返し利用することも可能である。
【００３３】
一方、左シート材２０及び右シート材３０は、それぞれ目に対応する楕円状の開口１が左右対称に形成されている。また、鼻頭の隆起に対応する深い切り込み２が顔面幅方向に向けて入れられ、かつ鼻下には上唇の隆起に対応する浅い切り込み２２が切り込み２に３０°〜５０°の角度で交差するように入れられられることにより、三角形に切り取られている。さらには、口に対応する部分に顔面幅方向に向けて三角形の切り込み３が入れられている。
【００３４】
他方、左シート材２０及び右シート材３０は、それぞれ人の顎のラインに連続するように耳元の周辺の外周部において、帯状の着用ベルト４、５が一体に設けられている。
【００３５】
この着用ベルト４、５は、幅広に形成され、顎先から顎裏に亘る縫い目１０の湾曲線状のライン８を人の顎裏に沿って引き上げることにより、ライン８とベルト４、５との間のシート材２０、３０を顎のラインに沿って一段と密着させるようになっている。そして、ベルトの先端部に向けて漸次、幅が狭くなるように形成されており、それぞれ先端部には、長方形状のマジックテープ（登録商標）６、７が取り付けられている。このマジックテープ６、７の長手方向の貼付位置の調整によって、フェイスマスクを顔面により密着させるようになっている。
この着用ベルト４、５は、左シート材２０及び右シート材３０と同一素材又は異なる素材によって構成されていてもよく、長手方向に向けて伸縮性を有するものであれば何ら素材が限定されるものでない。
【００３６】
なお、本発明は、上述の実施形態に何ら限定されるものでなく、例えば、鼻下から顎先までが縫い合わされた頬、顎のライン等の一部分をケアする立体フェイスマスクであってもよい。また、ベルト４、５は、左シート材２０及び右シート材３０に取付自在に設けられていてもよく、特に安価な不織布等の使い捨て製品の場合には、設けられていなくてもよい。さらには、不織布に遠赤外線効果のあるトルマリン鉱石が織り込まれているベルト４、５のないフェイスマスクの上に、塩化ビニルの樹脂成形型からなるベルト４、５付きの保湿力の高いフェイスマスクを固定して機能性を高めてもよい。
【００３７】
以下、上述の立体フェイスマスクの使用方法を説明する。
【００３８】
まず、フェイスマスクを顔に当て、開口１を目に、切り込み２を鼻頭に、切り込み２２を鼻下に、開口３を口にそれぞれ合わせるとともに、ライン８を顎先から顎裏に固定する。次いで、ベルト４、５を後頭部に回して、ライン８を人の顎裏に沿って引き上げるようにして、マジックテープ６、７を貼り付けることにより、装着する。
【００３９】
すると、左シート材２０及び右シート材３０は、顔面中央ライン２０ａ、３０ａが額から鼻、鼻下、口、顎先、顎裏を経て首に至る顔面中央部の凹凸に密着するとともに、それぞれ額の上部からこめかみ、耳元を経て顎のラインに至る顔面外周ラインを覆うようにして全面的に密着する。その際、鼻頭及び上唇の隆起に対応する切り込み２及び切り込み２２によって、顔面において一番凹凸の大きい鼻の付け根から鼻先に向けて密着するとともに、小鼻にかけても密着し、鼻下を含めた口周り等にも密着するため、顔から離間することなく全面的に密着する。
【００４０】
上述の実施の形態のフェイスマスクによれば、シート材を額の上部から顎先を経て首部に至る形状に沿うように凹凸線状に接合させたため、装着することによって鼻及び顎に固定され、顔面とのずれを防止することでき、ベルト４、５を締めなくても利用者が装着したまま日常生活における軽度な行動をすることができ、行動の自由度を高めることができる。
【００４１】
さらに、左シート材２０及び右シート材３０が面方向及び厚み方向に向けて伸縮する素材によって構成されているため、フェイスマスクを装着した際に、ライン８を人の顎裏に沿って引き上げ、ライン８から顔面幅方向に向けた周囲のシート材２０、３０を顎のラインに沿って密着させることができ、シート材２０、３０を顎裏及び首部に密着させることができる。また、顔面の動きに対する追従性も高く、優れた装着感を有し、安定的に装着することができ、装着したままの状態において行動することができる日常生活の範囲を拡げることができる。
【００４２】
加えて、着用ベルト４、５によって、フェイスマスクを顔面に密着させるよう後頭部に向けて引っ張りつつ固定した場合には、顔面とのずれを確実に防止することができるとともに、フェイスマスクをより顔面に密着させることができる。特に、ライン８を人の顎裏に沿って引き上げ、ライン８とベルト４、５との間のシート材２０、３０が顎のラインに沿って一段と密着させることができるため、顎裏及び首部の密着を著しく高めることができ、優れた美容効果を得ることができる。
【００４３】
一方、顔面の各部位の凹凸寸法を基に左シート材２０及び右シート材３０を裁断し、顔面中央ライン２０ａ、３０ａを合わせて重畳させた後に、縁部の顔面中央ライン２０ａ、３０ａから縫い代を５ｍｍ設けて、額上部から鼻頭まで、鼻下から口まで、さらに口下から首部までの３箇所を縫い合わせることによって得ることができ、特別な成型用型を必要とせずに簡易に製造することができるため、安価に提供することができる。
【００４４】
さらには、左右対称に形成された平面状の左シート材２０及び右シート材３０を、顔面中央ライン２０ａ、３０ａにおいて縫い合わせたものであるため、重畳させた状態のまま折り畳むことにより、コンパクトに収容することができ、携帯することもできる。
【図面の簡単な説明】
【００４５】
【図１】本発明のフェイスマスクを示す正面斜視図である。
【図２】図１の側面図である。
【図３】従来のフェイスマスクの平面図である。
【符号の説明】
【００４６】
１０・・・縫い目（接合）
２０・・・左シート材
３０・・・右シート材
【図１】
0005311723.tif 000002
【図２】
0005311723.tif 000003
【図３】
0005311723.tif 000004